(57)【要約】      （修正有）【課題】対面接客時における伝染性の飛沫感染を防御するための飛沫感染防止用フィルム装置を提供する。【解決手段】透明フィルム装置１を吊り下げ用ワイヤ２により天井または梁に設けた支承部に固定吊り下げをして、またはパイプやレール部材を支承長尺体としてワイヤ支持部を係合させてスライド可能な飛沫感染防止用フィルム装置を構成する。【選択図】図１
0003227065.tif 000002
【実用新案登録請求の範囲】
【請求項１】
透明フィルムと吊り下げ用ワイヤとから構成され、透明フィルムの上部には複数の吊り下げ用ワイヤ係合孔を設け、上端部にフックをする吊り下げ用ワイヤにより、天井または梁に設けたフック支承部から前記透明フィルム装置を吊り下げる構成としたことを特徴とする飛沫感染防止用フィルム装置。
【請求項２】
前記透明フィルムはＰＥＴ（ポリエチレンテレフタレート）素材からなることを特徴とする請求項１に記載の飛沫感染防止用フィルム装置。
【請求項３】
天井または梁に設けたワイヤのフック支承部はパイプまたはレール状であって、ワイヤフックがスライド可能であることを特徴とする請求項１に記載の飛沫感染防止用フィルム装置。
【考案の詳細な説明】
【技術分野】
【０００１】  本考案は、対面状態の人と人との間仕切りを形成する透明のフィルムによる飛沫感染防止装置に関する。
【背景技術】
【０００２】  スーパーマーケットやコンビニエンスストアのレジカウンター、役所、銀行、郵便局等の対面で接客する環境においては一般的に顔と顔とが近接で向き合う状況となり、一方の人がウイルス陽性者であった場合、会話、くしゃみ、咳などにより他方の人にウイルスが感染するおそれがある。【０００３】  従来、防犯上の観点からの衝立や間仕切りは一般に使用されてきたが、飛沫感染防止の観点からの遮蔽または間仕切りの役をなす装置はほとんど普及していない状況であった。【０００４】  登録実用新案第３１５２４９３号（特許文献１）では対面式カウンター塔における感染症予防のための透明遮蔽用防護パネルが開示されているが、これは図３に示すようにテーブルまたはカウンターに載置することによりその役割をなすもので、スーパーマーケットやコンビニエンスストアのようにカウンターを挟んで立ったままで応対する場所や、レジスキャン装置がカウンターに設置されている場所には邪魔になり不向きである。【０００５】  医療機関の外来応対室のような半閉鎖的な小空間を区切った飛沫拡散防止装置は特開２０１１−８３３０５（特許文献２）に開示されているが、この装置においてはファンや排気装置を使用して応対者側に感染性飛沫が侵入しないようにしており、スーパーマーケットやコンビニエンスストアのような一定程度の開放的空間ではこのような装置の採用は適さない。
【先行技術文献】
【特許文献】
【０００６】
【特許文献１】登録実用新案第３１５２４９３号
【特許文献２】特開２０１１−８３３０５
【考案の概要】
【考案が解決しようとする課題】
【０００７】  従来からビニールシートを天吊りして飛沫感染防止具として利用しているケースが若干数見られたが、薄手のビニールシートでは空調等の送風でなびいてしまて飛沫に対する防御効果が薄かったり、柔軟すぎるため除菌清掃が厄介であった。フィルム厚さが０．５ｍｍ〜１ｍｍ厚のＰＥＴ（ポリエチレンテレフタレート）製のフィルムを採用することにより、空調等の送風にもなびかないようになり、除菌清掃も容易となる。【０００８】  前記特許文献１において考えられていたカウンターまたはテーブルの上に載置するタイプの衝立式の間仕切り装置では設置場所に制約が生じるが、このような設置場所を限定的にすることがなく、さらに前記特許文献２のような送風装置などの補助装置の必要性もなく、また、接客時などで双方が立ち状態で応対する場面にも適用でき、応接室などで着座状態の応対環境にあっっても飛沫の感染を防止することのできる汎用性があって、かつ設置容易性を有する飛沫感染防止可能な透明フィルム装置を提供するものである。
【考案の概要】
【課題を解決するための手段】
【０００９】  本考案は、間仕切り装置をテーブルに載置する方式ではなく、天井や梁など上方からワイヤを使用して透明フィルム体を吊るす方式を採用することにより、立ち状態での応対にあっては、ワイヤの長さを調整して人の胸のあたりから頭部のすこし上部までをカバーできるように設置し、テーブルなどへの着座した対面状態に対しては透明フィルム装置の下端部をテーブル面から書類等の授受ができる程度の高さ間隔を設け、透明フィルム装置の上端部が頭部のやや上部までをカバー可能となるように上方からのワイヤの長さを調整して透明フィルム装置を吊リ下げる構成とした。【００１０】  具体的にはス―パーマーケット、コンビニエンスストア、小売店等のレジカウンターにおいて、店員と購買客との短い会話のやりとりが透明シートを挟んで行われることがあり、口からの飛沫の拡散角度のカバー範囲を考慮した縦サイズと横幅を設定して透明フィルム装置を設置することが望ましい。透明フィルム装置の幅は現金またはクレジットカードによる精算用の受け皿部分の手前までをカバーできる横サイズとすることにより飛沫感染の予防となる。【００１１】  カウンター窓口や机を挟んだ接客などの対面打ち合わせ時などには、書類または物品の授受が可能となるように卓上面と透明フィルム装置下端部との間を適宜所望の高さ間隔とし、ワイヤ長さを設置場所に応じた高さに設定して天吊りすれば良い。【００１２】  透明フィルム装置の固定方法としては、天井または梁に支承部を設け、ワイヤフック受け部にワイヤフックを引っ掛けて固定したり、または天井や梁にパイプや溝つきレールを設置してパイプの上部やレールの溝をワイヤフックの支承部として、この支承部にワイヤフックをスライド可能に係合する構成を採用しても良い。
【考案の効果】
【００１３】  透明フィルム装置をワイヤで天吊りすることにより高さ調整および取り付け場所を自在に設定できる。天吊り式なので卓上面、カウンター上のスペースを塞ぐことなく活用でき、フィルム装置により構成されるので、不使用時には巻き上げでおくこともでき、邪魔にならず、保管時もスペースを取らない。
【図面の簡単な説明】
【００１４】
【図１】  本考案の透明フィルム装置がワイヤで吊り下げられている斜視図
【図２】  本考案の透明フィルム装置のレジカウンターにおける実施態様の図
【図３】  従来の載置タイプ感染防護パネル
【考案を実施するための形態】
【００１５】  図１は本考案の透明フィルム装置１がワイヤ２で吊り下げられている斜視図でその吊り下げ状態の構成は、透明フィルム装置１とそれを吊り下げるワイヤ２およびワイヤの先端部に設けられた鉤型フック部４とからなり、鉤型フック部４が透明フィルム装置１の上部複数の箇所に設けられたフック係合孔３に係合している。
【００１６】  透明フィルム装置１はＰＥＴ（ポリエチレンテレフタレート）からなり、厚さとしては０．５ｍｍ〜１ｍｍの厚さが好ましい。これより薄いと空調などの送風によりなびいて飛沫などの遮蔽が不完全になってえしまう。
【００１７】  透明フィルム装置１の材質として、ポリカーボネートやアクリル樹脂なども考慮されるが、ポリカーボネート製にするとＰＥＴ製より重量が嵩み、アクリル樹脂は室温による伸縮でたわむ事が考えられる。さらにＰＥＴ素材は上記素材より透明性が高く、また、傷もつき難いという特長を有する。
【００１８】  透明フィルム装置１のサイズとしては設置場所や使用環境に応じたサイズとすればよく、一般的な例としては、たとえば図２に示すようにコンビニエンスストアやスーパーマーケットのレジカウンターにおいて使用する場合は横８００ｍｍ、縦６００ｍｍのサイズであれば飛沫感染を充分に予防できるものと考えられるが、レジ周りの形態により横幅をこれ以上に長く作成しても良い。
【００１９】  応接室のような場所での接客においてはテーブルを挟んで双方が着座して対面状態となるが、その場合は天吊りワイヤ２の長さは透明フィルム装置１が卓上面から上方に一定程度の高さ間隔を持たせるように調整をして書類や物品の授受ができるようにする。この場合、透明フィルム装置１の縦サイズは一般的な６００ｍｍ程度で十分であり、横幅は対面する人数に応じた長さの透明フィルム装置１を使用すれば良く、複数人数用であれば長い横幅サイズを採用するか同一単位幅の透明フィルム装置１を複数連接しても良い。
【００２０】  ワイヤ２はピアノ線等のテグスのほか、透明フィルム装置１の重量を支えることができる程度の耐久強度があれば十分であり、特に材質は問わない。
【００２１】  ワイヤ２の上端部フック部材（図示せず）は、天井への固定フック受け部、天井部に設けたレール状長尺装置の溝に係合させて、またはパイプ上面部にワイヤ２の上端部のフック部材を引っ掛けて透明フィルム装置１をスライド可能とするなど状況に応じた適宜の手段の支承部形状を採用すればよい。
【００２２】
【符号の説明】
【００２０】１  透明フィルム装置
２  吊り下げワイヤ
３  ワイヤフック係合孔
４  ワイヤ下端部の鉤型フック
【図１】
0003227065.tif 000003
【図２】
0003227065.tif 000004
【図３】
0003227065.tif 000005